(57)【要約】    【課題】複数のナースコール親機に係るデータベースを一括管理するパーソナルコンピュータを備え、さらにそのパーソナルコンピュータで変更内容を確認できるようにする。    【解決手段】患者が看護師を呼び出すための複数のナースコール子機１と、ナースコール子機からの呼び出しを看護師に知らせるための廊下灯２と、ナースコール子機からの呼び出しに応答するためのナースコール親機３と、廊下灯、ナースコール親機を制御する制御機４と、ナースコール親機のデータベースを一括管理する管理用パーソナルコンピュータ６とを備えている。管理用パーソナルコンピュータ６は、ナースコール親機に予め登録された操作可能な看護師のオペレータを特定するためのパスワード等の利用者情報と照合して許可されたオペレータがデータベースを変更した際の当該オペレータを特定する情報、変更日時を変更履歴として記憶する記憶部６１ａを有している。    【選択図】図１
2006134209.tif 000002
【特許請求の範囲】
【請求項１】
患者が看護師を呼び出すための複数のナースコール子機（１）と、前記ナースコール子機が接続され前記ナースコール子機からの呼び出しを前記看護師に知らせるための廊下灯（２）と、前記ナースコール子機からの呼び出しに応答するためのナースコール親機（３）と、前記廊下灯、前記ナースコール親機を制御する制御機（４）とを備え、
前記ナースコール親機は、受持ち患者の患者管理データ、医療看護データをデータベースとして所有し、前記ナースコール子機からの呼び出し時に前記データベースと照合し、呼び出しを行なった患者の患者管理データ、医療看護データを前記データベースから読み出して表示するナースコールシステムであって、
前記ナースコールシステムは、前記ナースコール親機のデータベースを一括管理する管理用パーソナルコンピュータ（６）を有し、
前記管理用パーソナルコンピュータは、前記ナースコール親機に予め登録された操作可能な前記看護師のオペレータを特定するためのパスワード、ＩＤコード等の利用者情報と照合して許可されたオペレータにより、前記ナースコール親機の前記データベースにアクセスして変更し、前記データベースを変更したオペレータを特定する情報、変更日時、前記変更したデータベースを特定する情報、前記データベースの変更箇所、変更内容のうち少なくとも前記データベースを変更したオペレータを特定する情報、変更日時を変更履歴として記憶する記憶部（６１ａ）を有することを特徴とするナースコールシステム。
【請求項２】
前記ナースコール子機、前記廊下灯、前記制御機、前記ナースコール親機間はＣＰＥＶ等の通信ケーブル（Ｌ１、Ｌ２、Ｌ５）で接続し、前記ナースコール親機、前記管理用パーソナルコンピュータ間はＬＡＮケーブル（Ｌ３、Ｌ４）で接続することを特徴とする請求項１記載のナースコールシステム。
【請求項３】
患者が看護師を呼び出すための複数のナースコール子機（１）と、前記ナースコール子機が接続され前記ナースコール子機からの呼び出しを前記看護師に知らせるための廊下灯（２）と、前記ナースコール子機からの呼び出しに応答するための複数のナースコール親機（３）と、前記廊下灯、前記ナースコール親機を制御する制御機（４）とを備え、
前記複数のナースコール親機は、それぞれの受持ち患者の患者管理データ、医療看護データをデータベースとして所有するナースコールサーバ（４０）に接続され、待ち受け又は前記ナースコール親機からの呼び出し、前記ナースコール子機からの呼び出し等のデータベース参照時に、前記ナースコールサーバにアクセスし、保存されている前記データベースと照合し、読み出したデータを使用することを特徴とするナースコールシステム。
【請求項４】
前記ナースコールシステムは、前記ナースコールサーバのデータベースを一括管理する管理用パーソナルコンピュータ（６）を有し、
前記管理用パーソナルコンピュータは、前記ナースコールサーバに予め登録された操作可能な前記看護師のオペレータを特定するためのパスワード、ＩＤコード等の利用者情報と照合して許可されたオペレータにより、前記ナースコールサーバのデータベースにアクセスして変更し、前記データベースを変更したオペレータを特定する情報、変更日時、前記変更したデータベースを特定する情報、前記データベースの変更箇所、変更内容のうち少なくとも前記データベースを変更したオペレータを特定する情報、変更日時を変更履歴として記憶する記憶部（６１ａ）を有することを特徴とする請求項３記載のナースコールシステム。
【請求項５】
前記ナースコールサーバは、前記データベースのバックアップデータを有するバックアップサーバ（７０）に接続されることを特徴とする請求項３または請求項４記載のナースコールシステム。
【請求項６】
前記ナースコールサーバと前記バックアップサーバは切替器（８０）を介して接続されることを特徴とする請求項５記載のナースコールシステム。
【請求項７】
前記ナースコール子機、前記廊下灯、前記制御機、前記ナースコール親機間はＣＰＥＶ等の通信ケーブル（Ｌ１、Ｌ２、Ｌ５）で接続し、前記複数のナースコール親機、前記管理用パーソナルコンピュータ、前記ナースコールサーバ間はＬＡＮケーブル（Ｌ３、Ｌ４、Ｌ１０、Ｌ１１）で接続することを特徴とする請求項３乃至請求項６何れか１項記載のナースコールシステム。
【発明の詳細な説明】
【技術分野】
【０００１】
本発明はナースコールシステムに係り、特にナースコール親機またはナースコールサーバに登録されたデータベースの書き換えが可能な管理用パーソナルコンピュータを備えたナースコールシステムに関する。
【背景技術】
【０００２】
従来から、病院や看護施設等に設置され、病室や看護室（以下、「病室等」という。）の患者とナースステーション内の看護師との間で種々の情報通信ができるナースコールシステムとして機能する看護支援装置が開示されている（例えば、特許文献１参照）。
【０００３】
この看護支援装置は、病室等に設置されたナースコール押しボタン及びナースコール子機（インターホン子機）が病院内に布設された通信線を介して通信制御装置に接続されている。この通信制御装置には、ナースステーションに設置されインターホン親機やサーバ等の記憶装置を備えたデータ処理装置から成るナースコール親機が接続されている。データ処理装置は、タッチパネルを有するＣＲＴディスプレイを備えている。また、通信制御装置には、無線制御装置を介して接続無線機が接続され、複数の携帯用無線電話機とナースコール子機やナースコール親機とで通話可能になっている。
【０００４】
このような看護支援装置において、ナースコール押しボタンやナースコール子機でナースコール親機を呼び出すと、ナースコール親機のＣＲＴディスプレイ上に呼び出した患者固有の看護活動の個別的指針を与えるような個人看護情報が表示される。また、ＣＲＴディスプレイ上に表示されている通話ボタンをタッチパネル操作することで、ナースコール子機とナースコール親機のインターホン親機との間で通話路が形成される。
【０００５】
【特許文献１】特開平１０−１４６３６６号公報
【発明の開示】
【発明が解決しようとする課題】
【０００６】
背景技術において示した看護支援装置では、ナースコール親機のデータ処理装置が有するデータベースを書き換えるにはそのデータ処理装置で行わなければならず、ナースコール親機が複数設置されているものではナースコール親機毎にデータベース書き換え作業を行わなければならなかった。したがって、ナースコール親機が複数台設置されている場合にはデータベースを一括管理することができなかった。また、データベースの書き換えを行なったことを確認する手段がなく、いつ誰が何を変更したのか把握することができなかった。また、ナースコール親機が複数設置されているものではナースコール親機毎にデータベースを備えているので、データベース用のソフトウエアがそのナースコール親機の台数分だけ必要になりライセンス料が高額となる難点があった。
【０００７】
本発明は、このような従来の難点を解決するためになされたもので、複数のナースコール親機に係るすべてのデータベースを一括管理する管理用パーソナルコンピュータを備え、さらに変更内容を確認できるようにしたナースコールシステムを提供することを目的とする。
【課題を解決するための手段】
【０００８】
本発明のナースコールシステムは、患者が看護師を呼び出すための複数のナースコール子機と、ナースコール子機が接続されナースコール子機からの呼び出しを看護師に知らせるための廊下灯と、ナースコール子機からの呼び出しに応答するためのナースコール親機と、廊下灯、ナースコール親機を制御する制御機とを備えるものである。
【０００９】
第１の態様であるナースコールシステムのナースコール親機は、受持ち患者の患者管理データ、医療看護データをデータベースとして所有し、ナースコール子機からの呼び出し時にデータベースと照合し、呼び出しを行なった患者の患者管理データ、医療看護データをデータベースから読み出して表示するものであり、ナースコール親機のデータベースを一括管理する管理用パーソナルコンピュータを有し、管理用パーソナルコンピュータは、ナースコール親機に予め登録された操作可能な看護師のオペレータを特定するためのパスワード、ＩＤコード等の利用者情報と照合して許可されたオペレータにより、ナースコール親機のデータベースにアクセスして変更し、データベースを変更したオペレータを特定する情報、変更日時、変更したデータベースを特定する情報、データベースの変更箇所、変更内容のうち少なくともデータベースを変更したオペレータを特定する情報、変更日時を変更履歴として記憶する記憶部を有するものである。
【００１０】
このようなナースコールシステムによれば、ナースコール親機が複数台設置されていても、１台の管理用パーソナルコンピュータで各ナースコール親機のデータベースを一括管理することができ、また、各種情報の変更履歴を管理用パーソナルコンピュータの記憶部に記憶させることができるので、いつ誰が何を変更したのかを瞬時に把握することができるようになる。
【００１１】
また、第１の態様であるナースコールシステムにおいては、ナースコール子機、廊下灯、制御機、ナースコール親機間はＣＰＥＶ等の通信ケーブルで接続し、ナースコール親機、管理用パーソナルコンピュータ間はＬＡＮケーブルで接続するものである。これにより、管理用パーソナルコンピュータでナースコール親機のデータベースの書き換え等を行う場合には、通信速度の速いＬＡＮ通信で行なうことができるようになる。
【００１２】
第２の態様であるナースコールシステムの複数のナースコール親機は、それぞれの受持ち患者の患者管理データ、医療看護データをデータベースとして所有するナースコールサーバに接続され、待ち受け又はナースコール親機からの呼び出し、ナースコール子機からの呼び出し等のデータベース参照時に、ナースコールサーバにアクセスし、保存されているデータベースと照合し、読み出したデータを使用するものである。
【００１３】
このようなナースコールシステムによれば、複数のナースコール親機の各データベースを１台のナースコールサーバに記憶させているので、データベース用のソフトウエアを使用するライセンスが一つで済むようになる。
【００１４】
また、第２の態様であるナースコールシステムにおいては、ナースコールシステムは、ナースコールサーバのデータベースを一括管理する管理用パーソナルコンピュータを有し、管理用パーソナルコンピュータは、ナースコールサーバに予め登録された操作可能な看護師のオペレータを特定するためのパスワード、ＩＤコード等の利用者情報と照合して許可されたオペレータにより、ナースコールサーバのデータベースにアクセスして変更し、データベースを変更したオペレータを特定する情報、変更日時、変更したデータベースを特定する情報、データベースの変更箇所、変更内容のうち少なくともデータベースを変更したオペレータを特定する情報、変更日時を変更履歴として記憶する記憶部を有するものである。これにより、管理用パーソナルコンピュータでナースコールサーバのデータベースを一括管理することができ、また、各種情報の変更履歴を管理用パーソナルコンピュータの記憶部に記憶させることができるので、いつ誰が何を変更したのかを瞬時に把握することができるようになる。
【００１５】
また、第２の態様であるナースコールシステムにおいては、ナースコールサーバは、データベースのバックアップデータを有するバックアップサーバに接続されるものである。これにより、バックアップデータを常時、バックアップサーバに保存させることが可能になるので、万が一、メインサーバとなるナースコールサーバに異常が生じてデータベースが破損しても、バックアップとしてバックアップサーバに保存していたデータベースを復元することができる。
【００１６】
また、第２の態様であるナースコールシステムにおいては、ナースコールサーバとバックアップサーバは切替器を介して接続されるものである。これにより、バックアップサーバを用いる場合、ナースコールサーバで使用していたディスプレイを流用することができるようになる。
【００１７】
また、第２の態様であるナースコールシステムにおいては、ナースコール子機、廊下灯、制御機、ナースコール親機間はＣＰＥＶ等の通信ケーブルで接続し、複数のナースコール親機、管理用パーソナルコンピュータ、ナースコールサーバ間はＬＡＮケーブルで接続するものである。これにより、管理用パーソナルコンピュータでナースコールサーバのデータベースの書き換え等を行う場合には、通信速度の速いＬＡＮ通信で行なうことができるようになる。
【発明の効果】
【００１８】
本発明のナースコールシステムによれば、複数のナースコール親機が設置されている場合でも、管理用パーソナルコンピュータで各ナースコール親機のデータベースを一括管理することができる。また、各種情報の変更履歴を管理用パーソナルコンピュータの記憶部に記憶させることができるので、いつ誰が何を変更したのかを瞬時に把握することができるようになる。
【発明を実施するための最良の形態】
【００１９】
以下、本発明のナースコールシステムにおける好ましい実施の形態例について、図面を参照して説明する。なお、本明細書の全体を通じて、各図面に示した同一の構成要素には同一の参照番号を付すことにする。
【００２０】
本発明の好ましい実施の形態例であるナースコールシステムは図１に示すように、病室等の患者のベッド付近に設置され患者が看護師、医師（以下、「看護師等」という。）を呼び出すための複数のナースコール子機１と、各病室等の出入口近傍や廊下先に設置されナースコール子機１からの呼び出しを看護師等に知らせるための廊下灯２と、ナースステーション内に設置されナースコール子機１からの呼び出しに応答するためのナースコール親機３と、廊下灯２、ナースコール親機３を制御する制御機４とを備えている。
【００２１】
ナースコール子機１は廊下灯２に接続され、このナースコール子機１が接続される各廊下灯２は通信ケーブルである廊下灯接続幹線Ｌ１にバス接続されており、この廊下灯接続幹線Ｌ１は制御機４に接続されている。なお、図１においては、各廊下灯２が廊下灯接続幹線Ｌ１にバス接続されている子機用伝送系統は２つ設けられているが、この伝送系統数に限られるものではなく、例えばフロア数に基づき決定される。複数のナースコール親機３はそれぞれ通信ケーブルＬ２によって制御機４に接続されている。このようなナースコール子機１、廊下灯２、制御機４、ナースコール親機３間を接続している廊下灯接続幹線Ｌ１、通信ケーブルＬ２にはＣＰＥＶ（市内対ポリエチレン絶縁ビニルシースケーブル）等の通信ケーブルが使用されている。以下、通信ケーブルというときはＣＰＥＶ等の通信ケーブルのことをいうものとする。
【００２２】
また、ナースコール親機３はＬＡＮケーブルＬ３によりＨＵＢ５に接続され、このナースコール親機３が接続される各ＨＵＢ５はＬＡＮケーブルであるＨＵＢ接続幹線Ｌ４に直列接続されている。なお、複数のＨＵＢ５のうち１台には各ナースコール親機３のデータベースを一括管理する管理用パーソナルコンピュータ６がＬＡＮケーブルＬ３を介して接続されている。
【００２３】
次に、各機器の詳細について説明する。
【００２４】
ナースコール子機１は、病室等の室内の壁面や当該壁面等に設けられた病室コンソール（メディカルコンソール）の何れかに固定され個別の子機番号を有するプレート子機１１と、プレート子機１１に着脱自在に接続され病室等の患者が看護師等を呼び出すためのハンドボタン１２と、プレート子機１１に着脱自在に接続され患者が看護師等に対して所定の呼出操作を行うと共に看護師等との間で相互に通話を行うための通話機能を有するハンド子機１３とを備えている。
【００２５】
廊下灯２は、個別の廊下灯番号を有しており、病室等の病床毎の患者からの呼び出しや、病室等の病床毎の患者を看護／担当している看護師等からの緊急呼び出しを検出して、呼出元の患者や看護師等と呼出先の看護師等との間で成立する通話路を形成するものである。また、廊下灯２には、患者や看護師等から呼び出しがあった旨を病室の出入口近傍や廊下先に居る看護師等に音あるいは視覚的な表示で知らせる機能を有している。
【００２６】
ナースコール親機３は、液晶ディスプレイなどの表示装置を有するＰＣ（パーソナルコンピュータ）ナースコール３１と、ナースコール通話部３２とから構成されている。ＰＣナースコール３１の記憶部３１ａには、受け持ち患者の患者管理データや医療看護データをデータベースとして登録している。ここで、患者管理データとは、患者ＩＤ、患者名、性別、年齢等の固定されたデータをいい、医療看護データとは、救護区分、診療科目、医師からの注意事項等、患者の体調等によって変化するデータをいう。また、ＰＣナースコール３１には、アクセス権を有する利用者情報が記憶されている。この利用者情報は、パスワード、ＩＤコードにより利用者を特定できる情報であって、英数字等のパスワードや看護師の看護師番号となるＩＤコード等が用いられる。このパスワードやＩＤコードは単体で用いても複合させて用いてもよく、セキュリティのレベルに応じて選択される。このような各種情報は、表示装置に表示されるメニュー画面をタッチパネル操作することで得ることができる。また、ナースコール通話部３２は、ナースコール親機３と制御機４に通信ケーブルＬ５によって接続されている。
【００２７】
制御機４は、中継器として設置されており、接続されている機器をそれぞれ制御（信号処理、通話路の選択等）するものである。
【００２８】
また、管理用パーソナルコンピュータ６は、液晶ディスプレイなどの表示装置を有し、複数のナースコール親機３のそれぞれに予め登録された操作可能な看護師等のオペレータを特定するための利用者情報と照合して許可されたオペレータにより、複数のナースコール親機３のうち該当するナースコール親機のデータベースにアクセスして変更し、データベースを変更したオペレータを特定する情報、変更日時、変更したデータベースを特定する情報、データベースの変更箇所、変更内容のうち予め設定されているデータベースの内容を変更したオペレータを特定する情報、変更日時を変更履歴として記憶する記憶部３１ａを有している。
【００２９】
このようなナースコールシステムは、さらに、制御機４に交換機接続用の通信ケーブルＬ６を介して構内交換機８（以下、「ＰＢＸ８」という。）が接続されている。このＰＢＸ８は基地局接続用の通信ケーブルＬ７を介してハンディナース基地局９に接続されている。このハンディナース基地局９は、看護師等が携帯するハンディナース２０と無線による情報のやりとりをすることができる。また、複数のナースコール親機３のうち予め選択されたナースコール親機のパーソナルコンピュータ３１にはＨＵＢ５０がＬＡＮケーブルＬ８で接続され、ＨＵＢ５０には複数のインターネット・カメラ３０がＬＡＮケーブルＬ９で接続されている。このインターネット・カメラ３０は、通常、病室等の患者のベッド近傍に設置され患者の状態を監視することができる。
【００３０】
このように構成されたナースコールシステムによる動作について、図１に基づき説明する。
【００３１】
何れかの病室内の患者がナースコール子機１のハンドボタン１２やハンド子機１３を用いて呼び出しをかけると、呼出信号がプレート子機１１から廊下灯２を介して廊下灯接続幹線Ｌ１に伝送され制御機４で受信される。制御機４で受信された呼出信号は通信ケーブルＬ５を介して呼び出されたナースコール親機３のナースコール通話部３２で受信され、当該ナースコール通話部３２で呼び出しがあったことを報知する。その報知を確認した看護師等が報知があったナースコール通話部３２で応答すると、このナースコール親機３のナースコール通話部３２と、呼び出しをしたナースコール子機１との通話路が形成され、ナースステーション内の看護師等と病室内の患者との通話が成立する。また、ナースコール親機３のＰＣナースコール３１の表示装置には、呼び出しを行なった患者の患者管理データ、医療看護データの内容が、ＰＣナースコール３１の記憶部３１ａに登録されたデータベースから選択されて表示される。また、この患者からの呼び出しをハンディナース２０で確認した看護師等が当該ハンディナース２０にて呼出応答すると、ハンディナース２０と呼び出しをしたナースコール子機１との通話路が形成され、巡回中の看護師等と病室内の患者との通話が成立する。
【００３２】
一方、ナースステーション内の看護師等や巡回中の看護師等が病室内の特定患者を呼び出すには、ナースステーション内のナースコール親機３のナースコール通話部３２で呼び出したり、ハンディナース２０で呼び出したりする。ナースコール通話部３２やハンディナース２０から呼び出しをかけると、呼出信号が制御機４に受信され通信ケーブルＬ１に伝送される。呼び出しされた患者用のナースコール子機１が接続された廊下灯２は、その呼出信号を受信して当該ナースコール子機１に伝送する。ナースコール子機１は、呼び出しがあったことをプレート子機１１やハンド子機１３から報知するとともに、呼び出しをしたナースコール親機３との通話路が形成されるので、ナースステーション内や巡回中の看護師等と病室内の患者との通話が成立する。
【００３３】
また、呼び出し時には、患者のベッド近傍にインターネットカメラ３０が設置されている場合には、そのインターネットカメラ３０が起動して患者の様子を映し出し、この映像は動画または静止画の映像信号が、ＬＡＮケーブルＬ９→ＨＵＢ５０→ＬＡＮケーブルＬ８を介してナースコール親機３のＰＣナースコール３１に伝送される。ＰＣナースコール３１では、上述の患者管理データ、医療看護データとともにその映像が表示される。
【００３４】
なお、インターネットカメラ３０は、廊下やロビー、受け付け等の共用部に設置されていることもあり、例えば人感センサ（図示せず）が起動したときにインターネットカメラ３０を起動させ、または常時起動させておくようにして、その様子をナースコール親機３や管理用パーソナルコンピュータ６で確認できるようにしてもよい。
【００３５】
次に、複数のナースコール親機３に記憶されたデータベースの内容を一括管理している管理用パーソナルコンピュータ６で、その各データベースの内容を変更する場合の処理手順について、図２に示すフローチャートに基づき説明する。
【００３６】
特定のナースコール親機３のデータベースを書き変えるために、特定の看護師等がそのナースコール親機３にアクセスするには、まず、管理用パーソナルコンピュータ６でユーザーパスワードを入力する（ステップ１０１）。このパスワードの情報信号はＬＡＮケーブルＬ３→ＨＵＢ５→ＬＡＮケーブルＬ４→ＨＵＢ５→ＬＡＮケーブルＬ３を介して該当するナースコール親機３のＰＣナースコール３１で受信される。ＰＣナースコール３１は情報信号に含まれるパスワードと、管理用パーソナルコンピュータ６からのアクセスを許可するか否かの認証を行なうための利用者情報とを照合し（ステップ１０２）、一致すれば認証ＯＫの返信を行ない、データベースへのアクセスを許可する（ステップ１０３、１０４）。なお、利用者情報が一致していない場合には、そのＰＣナースコール３１のデータベースへのアクセスが拒否される（ステップ１０３、１０５）。
【００３７】
ＰＣナースコール３１の記憶部３１ａのデータベースへのアクセスが許可された場合には、その特定の看護師等はデータベースの内容を参照し、変更すべき内容を管理用パーソナルコンピュータ６で入力し特定のナースコール親機３に対して送信する（ステップ１０６、１０７）。特定のナースコール親機３のＰＣナースコール３１では、受信した変更内容の情報信号にしたがってデータベースの内容を書き換えるとともに、書き換えられた内容の情報信号を返信する（ステップ１０８、１０９）。
【００３８】
管理用パーソナルコンピュータ１３では、受信した書き換えられた内容の情報信号に基づき、変更履歴として、変更した看護師等の情報とともに、変更日時、変更したデータベースを特定する情報、データベースの変更箇所、変更内容を変更ログとして保存する（ステップ１１０）。
【００３９】
変更されたナースコール親機３では、以降の動作は変更後のデータベースが使用され、ナースコール子機１から呼び出しがあると、その変更後のデータベースと照合して、該当する患者の患者管理データ、医療看護データの内容がＰＣナースコール３１の表示装置に表示される。なお、パスワードは、ナースコール親機３ごとに設定しても、すべてのナースコール親機３共通のパスワードとして設定してもよい。
【００４０】
このように、ナースコール親機３が複数台設置されていても、１台の管理用パーソナルコンピュータ６で各ナースコール親機３のデータベースを一括管理することができ、また、各種情報の変更履歴を管理用パーソナルコンピュータ６の記憶部６１ａに記憶させることができるので、いつ誰が何を変更したのかを瞬時に把握することができるようになる。
【００４１】
また、ナースコール親機３、管理用パーソナルコンピュータ６間をＬＡＮケーブルＬ３、Ｌ４で接続しているので、管理用パーソナルコンピュータ６でナースコール親機３のデータベースの書き換え等を行う場合には、通信速度の速いＬＡＮ通信で行うことができる。
【００４２】
上述したナースコールシステムにおいては、受持ち患者の患者管理データ、医療看護データをデータベースとしてナースコール親機３のＰＣナースコール３１の記憶部３１ａに記憶させていたが、これに限らず、図３に示すように、ナースコール親機３にデータベースを所有させずにナースコールサーバ４０に所有させてもよい。即ち、各ナースコール親機３で管理する受持ち患者の患者管理データ、医療看護データのそれぞれのデータベースをナースコールサーバ４０の１台に記憶させ、ナースコール親機３でナースコールサーバ４０から読み出すようにする。これにより、複数のナースコール親機３の各データベースを１台のナースコールサーバ４０に記憶させることができるので、データベース用のソフトウエアを使用するライセンスが一つで済むようになる。したがって、経費削減を図ることができる。なお、本明細書の全体を通じて、各図面に示した同一の構成要素には同一の参照番号を付しているので、この図３においてはその構成要素についての詳細内容や接続状態の説明を省略する。
【００４３】
このナースコールサーバ４０は、各ＨＵＢ５が直列接続されているＨＵＢ接続幹線Ｌ４に直列接続されたＨＵＢ５１にＬＡＮケーブルＬ１０を介して接続されている。また、このＨＵＢ５１には各ナースコール親機１のデータベースのバックアップデータを保存するバックアップサーバ７０をＬＡＮケーブルＬ１１を介して接続させてもよい。このバックアップサーバ７０を備えることで、バックアップデータを常時、バックアップサーバ７０に保存させることが可能になるので、万が一、メインサーバとなるナースコールサーバ４０に異常が生じてデータベースが破損しても、バックアップとしてバックアップサーバ７０に保存していたデータベースを復元することができる。
【００４４】
このようなナースコールサーバ４０とバックアップサーバ７０は、それぞれディスプレイ用ケーブルＬ１２を介して切替器８０に接続され、この切替器８０はナースコールサーバ４０やバックアップサーバ７０に記憶されたデータベースの各種情報を表示することができる液晶ディスプレイ等の表示装置９０が接続されている。このように、ナースコールサーバ４０とバックアップサーバ７０で表示装置９０を流用することができるので、経費削減を図ることができる。
【００４５】
さらに、ＨＵＢ５１にはＬＡＮケーブルＬ１３を介してオーダリングシステム１００を接続させてもよい。このオーダリングシステム１００は予め患者の氏名、性別等の患者情報や患者の看護区分、診療科目等の看護情報等が記憶され、ナースコールサーバ４０のデータベースはオーダリングシステム１００の情報を受信して利用することにより、当該ナースコールサーバ４０における入力作業が容易になる。
【００４６】
このように構成されたナースコールシステムによる動作について、図３に基づき説明する。なお、このナースコールシステムにおいては、待ち受け時には、システム稼動時やリセット時、または所定の操作によって、ナースコール親機３ごとの待ち受け画面をナースコールサーバ４０から読み出して表示している。
【００４７】
何れかの病室内の患者がナースコール子機１のハンドボタン１２やハンド子機１３を用いて呼び出しをかけると、呼出信号がプレート子機１１から廊下灯２を介して廊下灯接続幹線Ｌ１に伝送され制御機４で受信される。制御機４で受信された呼出信号は通信ケーブルＬ５を介して呼び出されたナースコール親機３のナースコール通話部３２で受信され、当該ナースコール通話部３２で呼び出しがあったことを報知する。その報知を確認した看護師等が報知があったナースコール通話部３２で応答すると、このナースコール親機３のナースコール通話部３２と、呼び出しをしたナースコール子機１との通話路が形成され、ナースステーション内の看護師等と病室内の患者との通話が成立する。また、呼び出されたナースコール親機３のＰＣナースコール３１は、呼び出しがあったことを知らせる情報信号をＬＡＮケーブルＬ３→ＨＵＢ５→ＬＡＮケーブルＬ４→ＨＵＢ５１→ＬＡＮケーブルＬ１０を介してナースコールサーバ４０に送信する。ナースコールサーバ４０はその情報信号に基づきデータベースの内容を参照し、対応する呼び出しを行なった患者の患者管理データ、医療看護データの内容を読み出して、その情報信号を呼び出されたナースコール親機３のＰＣナースコール３１に返信する。その情報信号はＬＡＮケーブルＬ１０→ＨＵＢ５１→ＬＡＮケーブルＬ４→ＨＵＢ５→ＬＡＮケーブルＬ３を介して呼び出されたナースコール親機３のＰＣナースコール３１に伝送される。ＰＣナースコール３１の表示装置には、その伝送されてきた呼び出しを行なった患者の患者管理データ、医療看護データの内容が表示される。また、この患者からの呼び出しをハンディナース２０で確認した看護師等が当該ハンディナース２０にて呼出応答すると、ハンディナース２０と呼び出しをしたナースコール子機１との通話路が形成され、巡回中の看護師等と病室内の患者との通話が成立する。
【００４８】
一方、ナースステーション内の看護師等や巡回中の看護師等が病室内の特定患者を呼び出すには、ナースステーション内のナースコール親機３のナースコール通話部３２で呼び出したり、ハンディナース２０で呼び出したりする。ナースコール通話部３２やハンディナース２０から呼び出しをかけると、呼出信号が制御機４に受信され通信ケーブルＬ１に伝送される。呼び出しされた患者用のナースコール子機１が接続された廊下灯２は、その呼出信号を受信して当該ナースコール子機１に伝送する。ナースコール子機１は、呼び出しがあったことをプレート子機１１やハンド子機１３から報知するとともに、呼び出しをしたナースコール親機３との通話路が形成されるので、ナースステーション内や巡回中の看護師等と病室内の患者との通話が成立する。
【００４９】
また、呼び出し時には、患者のベッド近傍にインターネットカメラ３０が設置されている場合には、そのインターネットカメラ３０が起動して患者の様子を映し出し、この映像は動画または静止画の映像信号でＬＡＮケーブルＬ９→ＨＵＢ５０→ＬＡＮケーブルＬ８を介してナースコール親機３のＰＣナースコール３１に伝送される。ＰＣナースコール３１では、上述の患者管理データ、医療看護データとともにその映像が表示される。
【００５０】
なお、インターネットカメラ３０は、廊下やロビー、受け付け等の共用部に設置されていることもあり、例えば人感センサ（図示せず）が起動したときにインターネットカメラ３０を起動させ、または常時起動させておくようにして、その様子をナースコール親機３やナースコールサーバ４０にモニタ切替器８０によって接続されている表示装置９０で確認できるようにしてもよい。
【００５１】
次に、ナースコールサーバ４０に記憶されたデータベースの内容を一括管理している管理用パーソナルコンピュータ６で、その各データベースの内容を変更する場合の処理手順について、図４に示すフローチャートに基づき説明する。
【００５２】
特定のナースコール親機３に対応するナースコールサーバ４０のデータベースを書き変えるために、特定の看護師等がそのナースコールサーバ４０にアクセスするには、まず、管理用パーソナルコンピュータ６でパスワードを入力する（ステップ２０１）。このパスワードの情報信号はＬＡＮケーブルＬ３→ＨＵＢ５→ＬＡＮケーブルＬ４→ＨＵＢ５１→ＬＡＮケーブルＬ１０を介してナースコールサーバ４０で受信される。ナースコールサーバ４０は情報信号に含まれるパスワードやＩＤコード等と、管理用パーソナルコンピュータ６からのアクセスを許可するか否かの認証を行なうための利用者情報とを照合し（ステップ２０２）、一致すれば認証ＯＫの返信を行ない、データベースへのアクセスを許可する（ステップ２０３、２０４）。なお、利用者情報が一致していない場合には、ナースコールサーバ４０のデータベースへのアクセスが拒否される（ステップ２０３、２０５）。
【００５３】
ナースコールサーバ４０のデータベースへのアクセスが許可された場合には、その特定の看護師等はデータベースの内容を参照し、変更すべき内容を管理用パーソナルコンピュータ６で入力しナースコールサーバ４０に対して送信する（ステップ２０６、２０７）。ナースコールサーバ４０では、受信した変更内容の情報信号にしたがって該当するナースコール親機用のデータベースの内容を書き換えるとともに、書き換えられた内容の情報信号を返信する（ステップ２０８、２０９）。
【００５４】
管理用パーソナルコンピュータ６では、受信した書き換えられた内容の情報信号に基づき、変更履歴として、変更した看護師等の情報とともに、変更日時、変更したデータベースを特定する情報、データベースの変更箇所、変更内容を変更ログとして保存する（ステップ２１０）。
【００５５】
変更されたナースコールサーバ４０では、以降の動作は変更後のデータベースが使用され、ナースコール子機１から呼び出しがあると、その変更後のデータベースと照合して、該当する患者の患者管理データ、医療看護データの内容が表示装置９０に表示される。
【００５６】
なお、ナースコールサーバ４０に記憶されたデータベースが破損してもナースコールシステムとしての動作が行なえるようにするためにバックアップサーバ７０を設けている場合には、このバックアップサーバ７０には、常時、ＬＡＮケーブルＬ１１を介して最新のデータが転送されているので、そのバックアップサーバ７０を流用することができる。この場合、モニタ切替器８０でナースコールサーバ４０側に接続されていた表示装置９０をバックアップサーバ７０側へ切り替えてバックアップサーバ７０のデータベースの内容を表示できるようにする。これにより、支障なくその後の動作を行うことができるので、この間にメインのナースコールサーバ４０を復旧させることができる。
【００５７】
また、バックアップサーバ７０もナースコールサーバ４０と同様の処理手順で、管理用パーソナルコンピュータ１３でデータベースを書き変えることができる。なお、このバックアップサーバ７０は、定期的にナースコールサーバ４０とデータベースの整合を図るものであってもよい。
【図面の簡単な説明】
【００５８】
【図１】本発明のナースコールシステムにおける好ましい実施の形態例を示す全体構成図である。
【図２】本発明のナースコールシステムによる複数のナースコール親機に記憶されたデータベースの内容を変更する場合の処理手順を示すフローチャート図。
【図３】本発明のナースコールシステムにおける他の好ましい実施の形態例を示す全体構成図である。
【図４】本発明のナースコールシステムによるナースコールサーバに記憶されたデータベースの内容を変更する場合の処理手順を示すフローチャート図。
【符号の説明】
【００５９】
１……ナースコール子機
２……廊下灯
３……ナースコール親機
４……制御機
６……管理用パーソナルコンピュータ
６１ａ……記憶部
４０……ナースコールサーバ
７０……バックアップサーバ
８０……切替器
Ｌ１、Ｌ２、Ｌ５……通信ケーブル
Ｌ３、Ｌ４……ＬＡＮケーブル
【図１】
2006134209.tif 000003
【図２】
2006134209.tif 000004
【図３】
2006134209.tif 000005
【図４】
2006134209.tif 000006